(57)【要約】【課題】気象予測をより正確に行う。【解決手段】ネットワーク５を介して携帯電話機２が接続された気象予測サーバ１に、気象情報と位置情報と、携帯電話機２の配置位置情報と、気象予測情報と、を記憶する記憶部１３と、記憶部１３に記憶された配置位置情報に基づいて、気象情報が不足する地域に配置された携帯電話機２を検索する携帯電子機器検索プログラム１２ｃを実行させるＣＰＵ１０と、検索された携帯電話機２から気象情報と位置情報とを受信して、記憶部１３に記憶する記憶制御プログラム１２ｇを実行させるＣＰＵ１０と、記憶部に記憶された気象情報に基づいて気象予測情報を算出する気象予測情報算出プログラム１２ｍを実行させるＣＰＵ１０と、を備えた。【選択図】        図１
2004170203.tif 000002
【特許請求の範囲】
【請求項１】
ネットワークを介して携帯電子機器が接続された気象予測サーバにおいて、
気象情報と、当該気象情報を観測した位置情報とが対応付けられて記憶されている記憶手段と、
前記携帯電子機器の配置位置情報が記憶されている配置情報記憶手段と、
気象情報が不足する地域に配置された携帯電子機器を前記配置情報記憶手段に記憶された配置位置情報の中から検索する検索手段と、
前記検索手段により検索された携帯電子機器から気象情報と、当該気象情報を観測した位置情報とを受信し、受信した気象情報に基づいて気象予測情報を算出する気象予測情報算出手段と、
前記気象予測情報算出手段により算出された気象予測情報を記憶する気象予測情報記憶手段と、
を備えたことを特徴とする気象予測サーバ。
【請求項２】
ネットワークを介して携帯電子機器が接続された気象予測サーバにおいて、
気象情報と、当該気象情報を観測した位置情報とが対応付けられて記憶されている記憶手段と、
携帯電子機器の配置位置情報が記憶されている配置情報記憶手段と、
前記気象予測情報を算出するための等間隔の格子網を作成する格子網作成手段と、
前記記憶手段に記憶された気象情報の位置情報と前記格子網作成手段により作成された格子網の格子が交差する位置とに基づいて気象情報を格子が交差する位置に配置する配置手段と、
前記配置手段によって気象情報が配置されない格子が交差する位置と、前記配置情報記憶手段に記憶された携帯電子機器の配置位置情報に基づいて、当該格子が交差する位置の近傍に配置された携帯電子機器を検索する検索手段と、
前記検索手段により検索された携帯電子機器から気象情報と、当該気象情報を観測した位置情報とを受信する受信手段と、
前記受信手段により受信した気象情報を前記気象情報が配置されない格子が交差する位置に配置して気象予測情報を算出する気象予測情報算出手段と、
前記気象予測情報算出手段により算出された気象予測情報を記憶する気象予測情報記憶手段と、
を備えたことを特徴とする気象予測サーバ。
【請求項３】
端末装置とネットワークを介して接続され、
前記端末装置から気象予測情報を必要とする場所の位置情報を受信する位置情報受信手段と、
この位置情報受信手段により受信した位置情報に基づいて、当該位置情報に対応する気象予測情報を前記気象予測情報記憶手段から取得する取得手段と、
前記取得手段により取得された気象予測情報を前記端末装置に送信する気象予測情報送信手段と、
を備えたことを特徴とする請求項１又は２に記載の気象予測サーバ。
【請求項４】
観測した気象情報に基づいて気象予測情報を算出する気象予測サーバにネットワークを介して接続された携帯電子機器において、
前記気象予測サーバから前記気象情報の送信要求信号を受信する要求信号受信手段と、
気象情報を観測するための気象観測手段と、
現在位置情報を計測する位置情報計測手段と、
前記気象観測手段により観測された気象情報と、前記位置情報計測手段により計測された現在位置情報とを前記気象予測サーバに送信する送信手段と、
を備えたことを特徴とする携帯電子機器。
【請求項５】
ネットワークを介して携帯電子機器が接続され、気象情報と、当該気象情報を観測した位置情報とが対応付けられて記憶されている記憶手段と、前記携帯電子機器の配置位置情報が記憶されている配置情報記憶手段とを備えたコンピュータに、
気象情報が不足する地域に配置された携帯電子機器を前記配置情報記憶手段に記憶された配置位置情報の中から検索する検索機能と、
前記検索機能により検索された携帯電子機器から気象情報と、当該気象情報を観測した位置情報とを受信して、前記記憶手段に記憶させる記憶制御機能と、
前記記憶手段に記憶された気象情報に基づいて気象予測情報を算出する気象予測情報算出機能と、
前記気象予測情報算出機能により算出された気象予測情報を記憶する気象予測情報記憶機能と、
を実現させるためのプログラム。
【請求項６】
ネットワークを介して携帯電子機器が接続され、気象情報と、当該気象情報を観測した位置情報とが対応付けられて記憶されている記憶手段と、前記携帯電子機器の配置位置情報が記憶されている配置情報記憶手段とを備えたコンピュータに、
前記気象予測情報を算出するための等間隔の格子網を作成する格子網作成機能と、
前記記憶手段に記憶された気象情報の位置情報と前記格子網作成機能により作成された格子網の格子が交差する位置とに基づいて気象情報を格子が交差する位置に配置する配置機能と、
前記配置機能によって気象情報が配置されない格子が交差する位置と、前記配置情報記憶手段に記憶された携帯電子機器の配置位置情報に基づいて、当該格子が交差する位置の近傍に配置された携帯電子機器を検索する検索機能と、
前記検索機能により検索された携帯電子機器から気象情報と、当該気象情報を観測した位置情報とを受信する受信機能と、
前記受信機能により受信した気象情報を前記気象情報が配置されない格子が交差する位置に配置して気象予測情報を算出する気象予測情報算出機能と、
前記気象予測情報算出手段により算出された気象予測情報を記憶する気象予測情報記憶機能と、
を実現させるためのプログラム。
【発明の詳細な説明】
【０００１】
【発明の属する技術分野】
本発明は、気象情報を収集、分析し、これらの情報から気象予測を行う気象予測サーバ、携帯電子機器及びプログラムに関する。
【０００２】
【従来の技術】
気象予報は、各気象観測地点から送られてきた気象情報（気圧、気温、湿度、風向、風速、照度等）に基づいて、コンピュータで数値予報をすることにより行われる。この数値予報は、所定の方程式に時刻毎の気象情報を入力し、スーパーコンピュータで将来の大気の状態を予測する方法である。より具体的には、まず、地球全体を所定間隔の格子網で覆い、各格子点の気象情報を求める。この時、格子点に気象情報を測定する機器が無ければ、周囲の格子点の気象情報から算出する。そして、各格子点の気象情報が求まると、この気象情報を所定の方程式に入力して、未来の気象情報を算出するというものである。この数値予報の計算に用いるプログラムを「数値予報モデル」という。
【０００３】
上記数値予報モデルによる気象予測の精度は格子間隔に依存する。通常、気象庁等が提供する数値予報は、地球規模で設けられた等間隔の格子点の気象情報に基づいて算出されるため、局所的な気象予測が困難である。なぜなら、一番小さい格子でも一辺が３０ｋｍ位の広範囲のもの（例えば、東京−川崎間が入ってしまう広さ）なので、例えば、「新宿」と「銀座」といった局所的な気象予測は困難だからである。
また、気象庁等が提供する数値予報は、一日にわずか２回しかデータが算出されないため、台風シーズン等の台風の進路が時々刻々と変化するときには役に立たないという問題もあった。
【０００４】
上記のような従来の気象予測の問題点を解決するための気象予測システムとして、例えば、複数の気象情報の利用者が自らの位置での気象情報をそれぞれ観測し、その気象情報を情報端末から通信回線を介してサーバに提供し、サーバは情報端末から送信された気象情報を記録するとともに、所定のタイミングで天気図データ等を作成し、公開するシステムが提案されている（例えば、特許文献１参照。）。
また、広域に散在しインターネットに接続可能な携帯電話機が自己の位置する場所の天気状態を示す気象情報をサーバに送信し、この気象情報を収集して所定区域の天気情報として編集加工処理することにより、この編集加工処理した天気情報を要求のあったユーザに送信する天気情報提供システムも提案されている（例えば、特許文献２参照。）。
【０００５】
【特許文献１】
特開２０００−１３８９７８号公報
【特許文献２】
特開２００２−９９５７６号公報
【０００６】
【発明が解決しようとする課題】
しかしながら、数値予報による局地的な気象予測を行う場合には、各格子点に気象情報を配置して計算させなければならないが、特許文献１、２においては、必ずしも全ての配置位置に相当する場所から気象情報が得られる保証はないので、このようなシステムでは数値予報による正確な気象予測を行うのは困難であった。
【０００７】
そこで、本発明の課題は、気象予測をより正確に行うことができる気象予測サーバ、携帯電子機器及びプログラムを提供することである。
【０００８】
【課題を解決するための手段】
上記課題を解決するため、請求項１に記載の発明は、ネットワークを介して携帯電子機器（例えば、図１の携帯電話機２）が接続された気象予測サーバにおいて、気象情報と、当該気象情報を観測した位置情報とが対応付けられて記憶されている記憶手段（例えば、図２の記憶部１３、図４の気象情報エリア１３ａ、図４の位置情報エリア１３ｂ、図４の時間情報エリア１３ｃ、図６のステップＳ１）と、前記携帯電子機器の配置位置情報が記憶されている配置情報記憶手段（例えば、図２の記憶部１３、図４の配置位置情報エリア１３ｄ）と、気象情報が不足する地域に配置された携帯電子機器を前記配置情報記憶手段に記憶された配置位置情報の中から検索する検索手段（例えば、図２のＣＰＵ１０、図３の携帯電子機器検索プログラム１２ｃ、図６のステップＳ７）と、前記検索手段により検索された携帯電子機器から気象情報と、当該気象情報を観測した位置情報とを受信し、受信した気象情報に基づいて気象予測情報を算出する気象予測情報算出手段（例えば、図２のＣＰＵ１０、図３の気象予測情報算出プログラム１２ｍ、図６のステップＳ９〜Ｓ１３）と、前記気象予測情報算出手段により算出された気象予測情報を記憶する気象予測情報記憶手段（例えば、図２の記憶部１３、図４の気象予測情報記憶エリア１３ｅ、図６のステップＳ１４）と、を備えたことを特徴とする。
【０００９】
請求項１に記載の発明によれば、検索手段が、気象情報が不足する地域に配置された携帯電子機器を検索し、気象予測情報算出手段が、検索した携帯電子機器から気象情報と、当該気象情報を観測した位置情報とを受信し、受信した気象情報に基づいて、気象予測情報を算出する。そして、算出された気象予測情報を、気象予測情報記憶手段に記憶する。
よって、気象予測サーバは、気象情報が不足する地域の気象情報を取得できるので、気象予測をより正確に行うことができる。
【００１０】
請求項２に記載の発明は、ネットワークを介して携帯電子機器が接続された気象予測サーバにおいて、気象情報と、当該気象情報を観測した位置情報とが対応付けられて記憶されている記憶手段（例えば、図２の記憶部１３、図４の気象情報エリア１３ａ、図４の位置情報エリア１３ｂ、図４の時間情報エリア１３ｃ、図６のステップＳ１）と、携帯電子機器の配置位置情報が記憶されている配置情報記憶手段（例えば、図２の記憶部１３、図４の配置位置情報エリア１３ｄ）と、前記気象予測情報を算出するための等間隔の格子網を作成する格子網作成手段（例えば、図２のＣＰＵ１０、図３の格子網作成プログラム１２ａ、図６のステップＳ４）と、前記記憶手段に記憶された気象情報の位置情報と前記格子網作成手段により作成された格子網の格子が交差する位置とに基づいて気象情報を格子が交差する位置に配置する配置手段（例えば、図２のＣＰＵ１０、図３の気象情報配置プログラム１２ｊ、図６のステップＳ５）と、前記配置手段によって気象情報が配置されない格子が交差する位置と、前記配置情報記憶手段に記憶された携帯電子機器の配置位置情報に基づいて、当該格子が交差する位置の近傍に配置された携帯電子機器を検索する検索手段（例えば、図２のＣＰＵ１０、図３の携帯電子機器検索プログラム１２ｃ、図６のステップＳ７）と、前記検索手段により検索された携帯電子機器から気象情報と、当該気象情報を観測した位置情報とを受信する受信手段（例えば、図２のＣＰＵ１０、通信制御部１６、図４の気象位置時間情報受信プログラム１２ｅ、図６のステップＳ９）と、前記受信手段により受信した気象情報を前記気象情報が配置されない格子が交差する位置に配置して気象予測情報を算出する気象予測情報算出手段（例えば、図２のＣＰＵ１０、図３の気象予測情報算出プログラム１２ｍ、図６のステップＳ１０〜Ｓ１３）と、前記気象予測情報算出手段により算出された気象予測情報を記憶する気象予測情報記憶手段（例えば、図２の記憶部１３、図４の気象予測情報記憶エリア１３ｅ、図３の気象予測情報記憶プログラム１２ｒ、図６のステップＳ１４）と、を備えたことを特徴とする。
【００１１】
請求項２に記載の発明によれば、格子網作成手段が等間隔の格子網を作成し、配置手段が気象情報の位置情報と格子網の格子が交差する位置とに基づいて、気象情報を格子が交差する位置に配置する。そして、検索手段が、気象情報が配置されない格子が交差する位置と配置情報記憶手段に記憶された携帯電子機器の配置位置情報に基づいて、格子が交差する位置の近傍に配置された携帯電子機器を検索する。そして、受信手段が検索された携帯電子機器から気象情報と位置情報とを受信し、気象予測情報算出手段が、気象情報が配置されない格子が交差する位置に受信した気象情報を配置して気象予測情報を算出する。算出された気象予測情報は、気象予測情報記憶手段に記憶される。
よって、気象予測サーバは、気象情報が不足する地域の気象情報を取得できるので、気象予測をより正確に行うことができる。
ここで、格子網の格子間隔および格子点の位置は任意に決めて良く、例えば、配置される気象情報がより多く格子点に配置できるように格子網を作成してもよい。
【００１２】
請求項３に記載の発明は、端末装置（例えば、図１の携帯電話機２）とネットワークを介して接続され、前記端末装置から気象予測情報を必要とする場所の位置情報を受信する位置情報受信手段（例えば、図２のＣＰＵ１０、通信制御部１６、図３の必要位置情報受信プログラム１２ｎ、図７のステップＳ２１）と、この位置情報受信手段により受信した位置情報に基づいて、当該位置情報に対応する気象予測情報を前記気象予測情報記憶手段から取得する取得手段（例えば、図２のＣＰＵ１０、図３の気象予測情報取得プログラム１２ｐ、図７のステップＳ２２）と、前記取得手段により取得された気象予測情報を前記端末装置に送信する気象予測情報送信手段（例えば、図２のＣＰＵ１０、通信制御部１６、図３の気象予測情報送信プログラム１２ｑ、図７のステップＳ２３）と、を備えたことを特徴とする。
【００１３】
請求項３に記載の発明によれば、位置情報受信手段が提供要求信号及び位置情報を受信し、取得手段が受信した位置情報に基づいて、位置情報に対応する気象予測情報を気象予測情報記憶手段から取得する。そして、気象予測情報送信手段が、取得した気象予測情報を端末装置に送信する。
よって、気象予測サーバは、端末装置に、必要とする局地的な気象予測情報をいつでも提供できる。
ここで、端末装置は、気象情報を提供した携帯電子機器のみならず、気象予測情報の提供のみを受ける端末であってもよい。
【００１４】
請求項４に記載の発明は、観測した気象情報に基づいて気象予測情報を算出する気象予測サーバにネットワークを介して接続された携帯電子機器において、前記気象予測サーバから前記気象情報の送信要求信号を受信する要求信号受信手段（例えば、図５のＣＰＵ２０、通信制御部２７、図８のステップＳ３１）と、気象情報を観測するための気象観測手段（例えば、図５の気象データ計測部２３、図８のステップＳ３２）と、現在位置情報を計測する位置情報計測手段（例えば、図５の位置計測部２６、図８のステップＳ３２）と、前記気象観測手段により観測された気象情報と、前記位置情報計測手段により計測された現在位置情報とを前記気象予測サーバに送信する送信手段（例えば、図５のＣＰＵ２０、通信制御部２７、図８のステップＳ３３）と、を備えたことを特徴とする。
【００１５】
請求項４に記載の発明によれば、要求信号受信手段が気象情報の送信要求信号を受信すると、気象観測手段が気象情報を観測し、位置情報計測手段が現在位置を計測する。そして、送信手段が気象情報と位置情報とを気象予測サーバに送信する。
よって、携帯電子機器は気象予測サーバから必要とされる場合に気象予測情報を観測して送信すればよいので、常に気象情報を観測する必要がなくなり、ユーザの負担を低減できる。
【００１６】
請求項５に記載の発明は、プログラムであって、ネットワークを介して携帯電子機器が接続され、気象情報と、当該気象情報を観測した位置情報とが対応付けられて記憶されている記憶手段（例えば、図２の記憶部１３、図４の気象情報エリア１３ａ，位置情報エリア１３ｂ，時間情報エリア１３ｃ）と、前記携帯電子機器の配置位置情報が記憶されている配置情報記憶手段（例えば、図２の記憶部１３、図４の配置位置情報情報エリア１３ｄ）とを備えたコンピュータに、気象情報が不足する地域に配置された携帯電子機器を前記配置情報記憶手段に記憶された配置位置情報の中から検索する検索機能（例えば、図３の携帯電子機器検索プログラム１２ｃ、図６のステップＳ７）と、前記検索機能により検索された携帯電子機器から気象情報と、当該気象情報を観測した位置情報とを受信し、受信した気象情報に基づいて気象予測情報を算出する気象予測情報算出機能（例えば、図３の気象予測情報算出プログラム１２ｍ、図６のステップＳ９〜Ｓ１３）と、前記気象予測情報算出機能により算出された気象予測情報を記憶する気象予測情報記憶機能（例えば、図３の気象予測情報記憶プログラム１２ｒ、図６のステップＳ１４）と、を実現させることを特徴とする。
【００１７】
請求項５に記載の発明によれば、コンピュータに組み込まれることにより、検索機能が、気象情報が不足する地域に配置された携帯電子機器を検索し、記憶制御機能が、検索した携帯電子機器から気象情報と、当該気象情報を観測した位置情報とを受信して、記憶手段に記憶させる。そして、気象予測情報算出機能が受信した気象情報を気象情報が配置されない格子が交差する位置に配置して気象予測情報を算出する。算出された気象予測情報は、気象予測情報記憶機能によって記憶される。
よって、気象予測サーバは、気象情報が不足する地域の気象情報を取得できるので、気象予測をより正確に行うことができる。
【００１８】
請求項６に記載の発明は、プログラムであって、ネットワークを介して携帯電子機器が接続され、気象情報と、当該気象情報を観測した位置情報とが対応付けられて記憶されている記憶手段（例えば、図２の記憶部１３、図４の気象情報エリア１３ａ，位置情報エリア１３ｂ，時間情報エリア１３ｃ）と、前記携帯電子機器の配置位置情報が記憶されている配置情報記憶手段（例えば、図２の記憶部１３、図４の配置位置情報エリア１３ｄ）とを備えたコンピュータに、前記気象予測情報を算出するための等間隔の格子網を作成する格子網作成機能（例えば、図３の格子網作成プログラム１２ａ、図６のステップＳ４）と、前記記憶手段に記憶された気象情報の位置情報と前記格子網作成機能により作成された格子網の格子が交差する位置とに基づいて気象情報を格子が交差する位置に配置する配置機能（例えば、図３の気象情報配置プログラム１２ｊ、図６のステップＳ５）と、前記配置機能によって気象情報が配置されない格子が交差する位置と、前記配置情報記憶手段に記憶された携帯電子機器の配置位置情報に基づいて、当該格子が交差する位置の近傍に配置された携帯電子機器を検索する検索機能（例えば、図３の携帯電子機器検索プログラム１２ｃ、図６のステップＳ７）と、前記検索機能により検索された携帯電子機器から気象情報と、当該気象情報を観測した位置情報とを受信する受信機能（例えば、図３の気象位置時間情報プログラム１２ｅ）と、前記受信機能により受信した気象情報を前記気象情報が配置されない格子が交差する位置に配置して気象予測情報を算出する気象予測情報算出機能（例えば、図３の気象予測情報算出プログラム１２ｍ、図６のステップＳ１３）と、前記気象予測情報算出機能により算出された気象予測情報を記憶する気象予測情報記憶機能（例えば、図３の気象予測情報記憶プログラム１２ｒ、図６のステップＳ１４）と、を実現させることを特徴とする。
【００１９】
請求項６に記載の発明によれば、コンピュータに組み込まれることにより、格子網作成機能が等間隔の格子網を作成し、配置機能が気象情報の位置情報と格子網の格子が交差する位置とに基づいて、気象情報を格子が交差する位置に配置する。そして、検索機能が、気象情報が配置されない格子が交差する位置と配置情報記憶手段に記憶された携帯電子機器の配置位置情報に基づいて、格子が交差する位置の近傍に配置された携帯電子機器を検索する。そして、受信手段が検索された携帯電子機器から気象情報と位置情報とを受信し、気象予測情報算出機能が気象情報が配置されない格子が交差する位置に配置して気象予測情報を算出する。算出された気象予測情報は、気象予測情報記憶機能によって記憶される。
よって、気象予測サーバは、気象情報が不足する地域の気象情報を取得できるので、気象予測をより正確に行うことができる。
【００２０】
【発明の実施の形態】
以下、本発明に係る気象予測サーバ、携帯電子機器及びプログラムについて詳細に説明する。なお、本実施の形態においては、携帯電子機器の一例として携帯電話機を挙げて説明する。
図１に示すように、気象予測サーバ１は、気象衛星や各観測所等から気象情報を受信する気象庁サーバ４とネットワーク５を介して接続されており、気象庁サーバ４から気象情報や、当該気象情報を観測した位置情報、時間情報を得ることができるようになっている。気象庁サーバ４から受信した気象情報等は、気象予測サーバ１内に記憶され、気象予測に用いられる。
ここで、気象情報は、例えば、気温、湿度、気圧、雲量、天気等の観測値である。また、位置情報とは、気象情報を観測した緯度及び経度である。また、時間情報とは、気象情報を観測した日時である。
【００２１】
また、気象予測サーバ１は、携帯電話機２に通信回線を提供する電話局の基地局３とネットワーク５を介して接続されており、携帯電話機２から気象情報や、当該気象情報を観測した位置情報を得ることができるようになっている。
【００２２】
そして、気象予測サーバ１は、気象予測の時間になると、ネットワーク５を介して受信した気象庁サーバ４や携帯電話機２からの気象情報を、図１０に示すように、気象予測サーバ１内の地図上に配置し、この配置された気象情報に基づいて、所定範囲内に気象情報ができるだけ多く収まるように格子網Ｍを作成する。次いで、気象予測サーバ１は、格子点に最も近い気象情報を格子点の気象情報としてあてがう。更に、気象予測サーバ１は、各格子点において、不足する気象情報を格子点付近に配置された携帯電話機２に送信要求するようになっている。ここで、図１１は、観測地Ｐ１〜Ｐ１１及び気象庁で観測した気象情報の一覧を例示したものであり。図１２は、各格子点における気象情報の有無を示したものである。図１２において、例えば、格子点ｃは、気象情報が無いことになる。図１３は、気象情報を気象予測サーバ１に送信可能な携帯電話機２の配置位置情報を示したものであり、登録ＩＤや、住所、氏名等が記憶されている。
よって、気象予測サーバ１は、例えば、気象情報が無い格子点ｃの近傍に配置された登録ＩＤがｔｍ１０の携帯電話機２を配置位置情報から検索して、当該携帯電話機２に対して気象情報の提供を要求し、格子点ｃの気象情報を揃えることができるようになっている。そして、気象予測サーバ１は、各格子点の気象情報から数値予報を算出する。更に、気象予測サーバ１は、携帯電話機２等から要求された位置の気象予測を算出された数値予報データに基づいて行い、予測した気象情報を要求した携帯電話機２に提供する。
【００２３】
図２に示すように、気象予測サーバ１は、各部を制御するＣＰＵ１０、ＣＰＵ１０のワークエリア等として使用されるＲＡＭ１１、ＣＰＵ１０が各部を制御するのに必要なシステムプログラム等が記憶されたＲＯＭ１２、気温や湿度等の気象情報と当該気象情報を観測した位置情報と当該気象情報を観測した時間情報とが対応付けられて記憶されている記憶手段としての記憶部１３と、発振回路部１４から発振される所定周波数のクロック信号を分周して年月日及び時刻を計時し、ＣＰＵ１０に出力する計時回路部１５、基地局３との通信を制御する通信制御部１６、基地局３等との通信状況等を表示する表示部１７、各情報の整理や保存等の操作を行う操作部１８等を備えて構成されている。また、各部はバスライン１９によって接続されている。
【００２４】
ＣＰＵ１０は、ＲＯＭ１２内に格納されたプログラムを読み出してＲＡＭ１１内に展開し、当該プログラムに基づいて各部への指示やデータの送信等を行う。具体的には、ＣＰＵ１０は、気象予測情報を算出するための等間隔の格子網を作成する格子網作成手段として機能するとともに、記憶部１３に記憶された気象情報の位置情報と作成された格子網の格子が交差する位置（以下、格子点という）とに基づいて、気象情報を格子点に配置する配置手段として機能する。
【００２５】
また、ＣＰＵ１０は、気象情報が配置されない格子点と、記憶部１３に記憶された携帯電話機２の配置位置情報に基づいて、当該格子点の近傍に配置された携帯電話機２を検索する検索手段として機能するとともに、検索された携帯電話機２から気象情報と、当該気象情報を観測した位置情報と、当該気象情報を観測した時間情報とを受信する受信手段として機能する。
更に、ＣＰＵ１０は、携帯電話機２から受信した気象情報を気象情報が配置されない格子点に配置して気象予測情報を算出する気象予測情報算出手段として機能するとともに、携帯電話機２から受信した位置情報に基づいて、当該位置情報に対応する気象予測情報を記憶部１３から取得する取得手段として機能する。
また、ＣＰＵ１０は、気象情報を送信した携帯電話機２にポイント加算情報を通知する機能を有する。
ここで、ポイント加算情報とは、例えば、当該気象予測サーバ１を所有する業者等からのサービスを受けるために必要な情報であり、貯めたポイントによって様々なサービスを受けることができるようになっている。これにより、ユーザに積極的に気象情報を送信させることができ、気象予測の精度や信頼性を高めることができるようになっている。
【００２６】
ＲＡＭ１１は、ＣＰＵ１０のワークエリアを形成するとともに、ＣＰＵ１０の制御の下、処理データを一時的に記憶するメモリエリアを有する。
【００２７】
ＲＯＭ１２には、ＣＰＵ１０が各種機能を実行するためのプログラムが格納されている。
具体的には、ＲＯＭ１２は、図３に示すように、気象予測情報を算出するための等間隔の格子網を作成する機能を実現させる格子網作成プログラム１２ａ、記憶手段に記憶された気象情報の位置情報と、作成された格子網の各格子点の位置情報とを比較して、所定の配置条件に合致する気象情報がない格子点を抽出する機能を実現させる格子点抽出プログラム１２ｂを有する。
【００２８】
また、ＲＯＭ１２は、気象情報が配置されない格子点と、記憶部１３に記憶された携帯電話機２の配置位置情報に基づいて、当該格子点の近傍に配置された携帯電話機２を検索する機能を実現させる携帯電子機器検索プログラム１２ｃ、検索された携帯電話機２に対して、気象情報の提供を要求する提供要求信号を送信する機能を実現させる提供要求信号送信プログラム１２ｄ、携帯電話機２から気象情報と、当該気象情報を観測した位置情報と、当該気象情報を観測した時間情報とを受信する機能を実現させる気象位置時間情報受信プログラム１２ｅを有する。
【００２９】
更に、ＲＯＭ１２は、受信した気象情報と位置情報と時間情報とを対応付けて記憶部１３に記憶する機能を実現させる記憶制御プログラム１２ｇ、携帯電話機２から受信した位置情報が、所定の配置条件に合致するか否かを判断する機能を実現させる位置情報判断プログラム１２ｈを有する。
【００３０】
また、ＲＯＭ１２は、携帯電話機２から受信した位置情報が、所定の配置条件に合致しないと判断された場合に、当該格子点に配置する格子点気象情報を算出する機能を実現させる格子点気象情報算出プログラム１２ｉ、記憶部１３に記憶された気象情報の位置情報と、作成された格子網の各格子点の位置情報とを比較して、所定の配置条件に合致する気象情報を各格子点に配置する機能を実現させる気象情報配置プログラム１２ｊ、算出された格子点気象情報を、該当する格子点に配置する機能を実現させる格子点気象情報算出プログラム１２ｋを有する。
【００３１】
更に、ＲＯＭ１２は、配置された格子点の気象情報及び算出された格子点の気象情報とに基づいて、格子点における気象予測情報を算出する気象予測情報算出手段としての機能を実現させる気象予測情報算出プログラム１２ｍ、携帯電話機２からの気象予測情報の送信要求信号と、該携帯電話機２の位置情報を受信する位置情報受信手段としての機能を実現させる必要位置情報受信プログラム１２ｎ、受信した位置情報に基づいて、当該位置情報に対応する気象予測情報を記憶部１３から取得する取得手段としての機能を実現させる気象予測情報取得プログラム１２ｐ、取得した気象予測情報を携帯電話機２に送信する気象予測情報送信手段としての機能を実現させる気象予測情報送信プログラム１２ｑ、気象予測情報を気象予測情報エリア１３ｅに記憶させる気象予測情報記憶プログラム１２ｒを有する。
【００３２】
記憶部１３は、気象情報と、気象情報を観測した位置情報と、気象情報を観測した時間情報とを対応付けて記憶する記憶手段として機能するとともに、携帯電話機２の配置位置情報を記憶する配置情報記憶手段として機能する。
また、記憶部１３は、算出された気象予測情報を記憶する気象予測情報記憶手段として機能する。
【００３３】
記憶部１３には、図４に示すように、複数のメモリエリアが設けられている。即ち、気象情報を記憶する気象情報エリア１３ａ、位置情報を記憶する位置情報エリア１３ｂ、時間情報を記憶する時間情報エリア１３ｃ、携帯電話機２の配置位置情報を記憶する配置位置情報エリア１３ｄ、気象予測情報を記憶する気象予測情報エリア１３ｅが設けられている。
【００３４】
気象情報エリア１３ａには、更に、複数のメモリエリアが設けられ、携帯電話機２が観測した気温情報を記憶する気温情報エリア１３ｖ、携帯電話機２が観測した湿度情報を記憶する湿度情報エリア１３ｗ、携帯電話機２が観測した気圧情報を記憶する気圧情報エリア１３ｘ、ユーザが観測して入力した雲量情報を記憶する雲量情報エリア１３ｙ、ユーザが観測して入力した天気情報を記憶する天気情報エリア１３ｚが設けられている。
配置位置情報エリア１３ｄには、例えば、図１３に示すように、携帯電話機の登録ＩＤ、住所、氏名、性別、年齢、登録された配置緯度、登録された配置経度、登録番号、登録アドレス、登録日などが各携帯電話機毎に記憶されるエリアが設けられている。
【００３５】
計時回路部１５は、発振回路部１４から入力されるクロック信号を計数して、現在時刻データ等を得る。そして、現在時刻データをＣＰＵ１０に出力する。発振回路部１４は、常時一定周波数のクロック信号を出力するようになっている。
【００３６】
通信制御部１６は、検索された携帯電話機２から気象情報と、当該気象情報を観測した位置情報と、当該気象情報を観測した時間情報とを受信する受信手段としての機能、携帯電話機２からの気象予測情報の提供要求信号と、該携帯電話機２の位置情報を受信する位置情報受信手段としての機能、取得された気象予測情報を携帯電話機２に送信する気象予測情報送信手段としての機能を有する。
【００３７】
表示部１７は、気象予測サーバ１に接続され、基地局３等との通信状況等を表示するモニタ等から構成される。
【００３８】
操作部１８は、気象予測サーバ１に接続され、各情報の整理や保存等の操作を行うキーボード等から構成される。
【００３９】
次に、携帯電話機２の構成について説明する。
図５に示すように、携帯電話機２は、各部を制御するＣＰＵ２０、ＣＰＵ２０のワークエリア等として使用されるＲＡＭ２１、ＣＰＵ２０が各部を制御するのに必要なシステムプログラム等が記憶されたＲＯＭ２２、気象情報を観測する気象観測手段としての気象データ計測部２３、発振回路部２４から発振される所定周波数のクロック信号を分周して年月日及び時刻を計時し、ＣＰＵ２０に出力する計時手段としての計時回路部２５、現在位置情報を計測する位置情報計測手段としての位置計測部２６、基地局３との通信を制御する要求信号受信手段及び送信手段としての通信制御部２７、基地局３等との通信状況等を表示する表示部２８、各種処理を実行させるための操作を行う操作部２９等を備えて構成されている。また、各部はバスライン３０によって接続されている。
【００４０】
ＣＰＵ２０は、ネットワーク５を介して受信した気象情報、位置情報、時間情報に基づいてＲＯＭ２２内に格納されたプログラムを読み出してＲＡＭ２１内に展開し、当該プログラムに基づいて各部への指示やデータの送信等を行う。
具体的には、ＣＰＵ２０は、気象予測サーバ１から気象情報の送信要求信号を受信するように通信制御部２７を制御し、要求された気象情報、位置情報、時間情報を取得するように気象データ計測部２３を制御し、取得した気象情報、位置情報、時間情報を気象予測サーバ１に送信するように通信制御部２７を制御する。
【００４１】
また、ＣＰＵ２０は、気象予測情報の提供要求信号、位置情報を気象予測サーバ１に送信するように通信制御部２７を制御し、気象予測サーバ１から気象予測情報を受信するように通信制御部２７を制御し、受信した気象予測情報を出力する。
【００４２】
ＲＡＭ２１は、ＣＰＵ２０のワークエリアを形成するとともに、ＣＰＵ２０の制御の下、処理データを一時的に記憶するメモリエリアを有する。
【００４３】
ＲＯＭ２２には、ＣＰＵ２０が各種機能を実行するためのプログラムが格納されている。
具体的には、ＲＯＭ２２は、気象予測サーバ１から気象情報の送信要求信号を受信する機能を実現させるプログラム、要求された気象情報、位置情報、時間情報を取得する機能を実現させるプログラム、取得した気象情報、位置情報、時間情報を気象予測サーバ１に送信する機能を実現させるプログラムを有する。
【００４４】
また、ＲＯＭ２２は、気象予測情報の提供要求信号、位置情報を気象予測サーバ１に送信する機能を実現させるプログラム、気象予測サーバ１から気象予測情報を受信する機能を実現させるプログラム、受信した気象予測情報を出力する機能を実現させるプログラムを有する。
【００４５】
気象データ計測部２３は、気温を計測する気温計、湿度を計測する湿度計、気圧を計測する気圧計等を備えている。これらは、携帯電話機２に内蔵されるものであってもよいし、外部に取り付けるものであってもよい。
【００４６】
計時回路部２５は、発振回路部２４から入力されるクロック信号を計数して、現在時刻データ等を得る。そして、現在時刻データをＣＰＵ２０に出力する。発振回路部２４は、常時一定周波数のクロック信号を出力するようになっている。
【００４７】
位置計測部２６は、ＧＰＳ衛星からの軌道情報や位置情報等を受信して現在位置の緯度経度を算出する。位置計測部２６は、公知の受信アンテナを備えており、受信アンテナから受信した電波の不要な周波数成分をカットして、該当する周波数信号を取り出し、入力された周波数信号を対応する電気信号に変換する。
【００４８】
通信制御部２７は、気象予測サーバ１から気象情報の送信要求信号を受信する要求信号受信手段としての機能、気象データ計測部２３により観測された気象情報、位置計測部２６により計測された位置情報、当該気象情報を観測した時間情報を気象予測サーバ１に送信する送信手段としての機能を有する。
【００４９】
表示部２８は、観測したデータ等を表示するＬＣＤ（Ｌｉｑｕｉｄ  Ｃｒｙｓｔａｌ  Ｄｉｓｐｌａｙ）等から構成される。
【００５０】
操作部２９は、各情報の整理や保存等の操作を行う入力キー等から構成される。
【００５１】
気象庁サーバ４は、気象衛星や各観測所等から気象情報を受信したり、受信した気象情報を気象予測サーバ１に定期的に送信する機能を備えている。
【００５２】
次に、上記構成を有する気象予測サーバ１及び携帯電話機２による気象予測処理について、図６〜図１３を用いて説明する。
まず、気象予測サーバ１における気象予測情報の算出処理について、図６を用いて説明する。
図６に示すように、ＣＰＵ１０が気象位置時間情報受信プログラム１２ｅを実行することにより、通信制御部１６がネットワーク５を介して携帯電話機２及び気象庁サーバ４から気象情報を受信し、気象情報エリア１３ａに記憶する（ステップＳ１）。通信制御部１６は、予め設定した所定の時間が経過するまで気象情報を受信し続ける（ステップＳ２；ＮＯ）。そして、気象予測の開始時刻となると（ステップＳ２；ＹＥＳ）、ＣＰＵ１０は、気象情報エリア１３ａに記憶された気象情報に対応した位置情報を地図上に配置し、当該配置データをＲＡＭ１１に記憶させる（ステップＳ３）。
【００５３】
次いで、ＣＰＵ１０は、格子網作成プログラム１２ａを実行することにより、地図上に配置された位置情報が格子点から所定範囲内に最も多く収まるような等間隔の格子網を作成し、作成した格子網データをＲＡＭ１１に記憶させる（ステップＳ４）。即ち、気象情報エリア１３ａに記憶された気象情報を最も多く利用することができるように、格子網の格子位置および格子間隔を決定する。
次いで、ＣＰＵ１０は、気象情報配置プログラム１２ｊを実行することにより、気象情報エリア１３ａに記憶された気象情報に対応する位置情報と格子網の格子点の位置情報とに基づいて、格子点から所定範囲内で、且つ、格子点から最も近い気象情報を格子点に配置し、ＲＡＭ１１に記憶させる（ステップＳ５）。
【００５４】
次いで、ＣＰＵ１０は、格子点抽出プログラム１２ｂを実行することにより、気象情報が配置されない格子点を抽出し、抽出した格子点をＲＡＭ１１に記憶させる（ステップＳ６）。
次いで、ＣＰＵ１０は、携帯電子機器検索プログラム１２ｃを実行することにより、抽出された格子点から最も近い位置に存在する携帯電話機２を検索し、ＲＡＭ１１に記憶させる（ステップＳ７）。
次いで、ＣＰＵ１０は、要求信号送信プログラム１２ｄを実行することにより、検索した携帯電話機２に対して気象情報の送信要求信号を通信制御部１６を介して送信する（ステップＳ８）。
【００５５】
次いで、ＣＰＵ１０が携帯電話機２から気象情報、位置情報、時間情報を受信したか否かを判断する。（ステップＳ９）。
ここで、ＣＰＵ１０が気象情報、位置情報、時間情報を受信したと判断した場合には（ステップＳ９；ＹＥＳ）、ＣＰＵ１０は、位置情報判断プログラム１２ｈを実行することにより、受信した気象情報の位置情報が格子点から所定範囲内に位置しているか否かを判断する（ステップＳ１０）。一方、ＣＰＵ１０が気象情報、位置情報、時間情報を受信していないと判断した場合には（ステップＳ９；ＮＯ）、再度ステップＳ９に戻り、携帯電話機２からの気象情報、時間情報、位置情報の受信を待つ。
【００５６】
次いで、ステップＳ１０において、ＣＰＵ１０は、受信した気象情報の位置情報が格子点から所定範囲内に位置していないと判断した場合には（ステップＳ１０；ＮＯ）、格子点気象情報算出プログラム１２ｉを実行することにより、当該格子点の気象情報を周囲の格子点の気象情報から算出し、ＲＡＭ１１に記憶させる（ステップＳ１１）。また、ＣＰＵ１０は、格子点気象情報配置プログラム１２ｋを実行することにより、当該格子点に算出した格子点気象情報を配置し、ＲＡＭ１１に記憶させる（ステップＳ１２）。
一方、ＣＰＵ１０が、受信した気象情報の位置情報が格子点から所定範囲内に位置していると判断した場合には（ステップＳ１０；ＹＥＳ）、ＣＰＵ１０は、気象情報配置プログラム１２ｊを実行することにより、その気象情報を格子点の気象情報として配置し、ＲＡＭ１１に記憶させる（ステップＳ１２）。
【００５７】
次いで、ＣＰＵ１０は、格子網の全ての格子点に気象情報又は格子点気象情報が配置されているか否かを判断する（ステップＳ１３）。ここで、ＣＰＵ１０が、全ての格子点に気象情報又は格子点気象情報が配置されていると判断した場合（ステップＳ１３；ＹＥＳ）には、気象予測情報算出プログラム１２ｍを実行することにより、配置された格子点の気象情報と算出された格子点気象情報とに基づいて、気象予測情報を算出し、ＲＡＭ１１に記憶させる（ステップＳ１４）。一方、ＣＰＵ１０が、全ての格子点に気象情報又は格子点気象情報が配置されていないと判断した場合には（ステップＳ１３；ＮＯ）、再度ステップＳ９に戻り、携帯電話機２からの気象情報、時間情報、位置情報の受信を待つ。
【００５８】
次いで、ＣＰＵ１０は、ステップＳ１４において気象予測情報を算出後、記憶制御プログラム１２ｇを実行することにより、ＲＡＭ１１に記憶された気象予測情報を記憶部１３の気象予測情報エリア１３ｄに記憶させる（ステップＳ１５）。これをもって、気象予測情報算出処理を終了する。
【００５９】
ここで、具体例を挙げて、格子点に気象情報を配置する手順について、図１０〜図１３を用いて説明する。
図１０に示すように、例えば、地図上には格子網Ｍが作成され、各格子点をａ，ｂ，ｃ，・・・，ｒ，ｓ，ｔとする。そして、図１１に示すように、観測地Ｐ１〜Ｐ１１及び気象庁サーバ４の気象情報、位置情報、時間情報は、記憶部１３に記憶されているものとする。
【００６０】
ここで、格子点ａにおいては、所定範囲内（図１０中の破線内）に観測地Ｐ１の気象情報があるため、この気象情報が格子点ａの気象情報として配置される。また、格子点ｂにおいては、観測地Ｐ３における気象情報が格子点ｂの気象情報として配置される。以下同様にして、格子点ａ〜格子点ｔに気象情報を配置すると図１２に示すものとなる。
【００６１】
格子点ｃにおいては、図１０に示すように、観測地Ｐ３が最も近くにあるが、観測地Ｐ３は格子点ｃから所定範囲内（図１０中の破線内）にないため、観測地Ｐ３の携帯電話機２が取得した気象情報を利用できない。そこで、図１２に示すように、格子点ｃの位置情報が緯度１２°、経度１００°であることから、図１３に示す携帯電話機２のリストの中から緯度及び経度が最も近い携帯電話機２を検索する。この場合、緯度１２°、経度１００°の登録ＩＤ「ｔｍ１０」の携帯電話機２が最も近いことがわかるので、通信制御部１６が登録ＩＤ「ｔｍ１０」のユーザに気象情報の送信要求信号を送信し、気象情報を取得する。
なお、格子点ｃの所定範囲内に携帯電話機２のユーザがいない場合には、周囲の格子点（格子点ｂ、格子点ｆ）の気象情報に基づいて格子点気象情報が算出される。
【００６２】
次に、気象予測サーバ１における気象予測情報の提供処理について、図７を用いて説明する。
まず、ＣＰＵ１０は、必要位置情報受信プログラム１２ｎを実行することにより、携帯電話機２から気象予測情報の送信要求信号、気象予測情報を必要とする場所の位置情報（例えば、携帯電話機２の位置情報）を受信したか否かを判断する（ステップＳ２１）。ここで、通信制御部１６が送信要求信号、位置情報を受信した場合（ステップＳ２１；ＹＥＳ）、ＣＰＵ１０は、気象予測情報取得プログラム１２ｐを実行することにより、受信した携帯電話機２の位置情報に基づいて、位置情報に対応する気象予測情報を気象予測情報エリア１３ｅから取得し、ＲＡＭ１１に記憶させる（ステップＳ２２）。一方、通信制御部１６が送信要求信号、位置情報を受信しない場合（ステップＳ２１；ＮＯ）、受信するまで処理は進行しない。
【００６３】
次いで、ＣＰＵ１０は、気象予測情報送信プログラム１２ｑを実行することにより、取得した気象情報を、通信制御部１６を介して携帯電話機２に送信する（ステップＳ２３）。
【００６４】
次に、携帯電話機２における気象情報の送信処理について、図８を用いて説明する。
まず、通信制御部２７が、気象予測サーバ１から気象情報の送信要求信号を受信する（ステップＳ３１）。
次いで、ＣＰＵ２０は、気象データ計測部２３にて、気象情報を取得し、ＲＡＭ２１に記憶させる（ステップＳ３２）。ここで、気温、湿度、気圧は、携帯電話機２に設けられた気象データ計測部２３にて計測され、雲量及び天気は、ユーザが天空を観測し、その状態を操作部２９から入力する。
また、ＣＰＵ２０は、位置計測部２６を制御してＧＰＳ衛星から送信された電波情報を受信して、携帯電話機２の位置情報を取得し、ＲＡＭ２１に記憶させる（ステップＳ３２）。
また、ＣＰＵ２０は、計時回路部２５から時間情報を取得し、ＲＡＭ２１に記憶させる（ステップＳ３２）。
【００６５】
次いで、ＣＰＵ２０は、通信制御部２７を制御して、気象情報と位置情報と時間情報を気象予測サーバ１に送信する（ステップＳ３３）。
次いで、ＣＰＵ２０は、通信制御部２７を制御して、気象予測サーバ１からポイント加算情報を受信し（ステップＳ３４）、これをもって本処理を終了する。
【００６６】
次に、携帯電話機２における気象予測情報の提供要求処理について、図９を用いて説明する。
まず、ＣＰＵ２０は、通信制御部２７を制御して、気象予測情報の提供要求信号及び位置計測部２６で計測された位置情報を気象予測サーバ１に送信する（ステップＳ４１）。
次いで、ＣＰＵ２０は、通信制御部２７を制御して、気象予測サーバ１から気象予測情報を受信し、ＲＡＭ２１に記憶させる（ステップＳ４２）。
次いで、ユーザが操作部２９を操作することにより、ＣＰＵ２０は、ＲＡＭ２１に記憶された気象予測情報を携帯電話機２の表示部２８に表示し、（ステップＳ４３）、これをもって本処理を終了する。
【００６７】
本実施の形態の気象予測サーバ１及び携帯電話機２によれば、気象予測サーバ１の記憶部１３に記憶された気象情報の位置情報に基づいて格子網を作成し、配置条件に合致する気象情報を格子点に配置する。そして、気象情報が配置されない格子点がある場合には、その格子点から最も近い位置に配置された携帯電話機２を検索し、その携帯電話機２に気象情報の送信要求信号を送信する。送信要求信号を受信した携帯電話機２は、気象情報、位置情報、時間情報を取得して気象予測サーバ１に送信する。
【００６８】
携帯電話機２から気象情報、位置情報、時間情報を受信した気象予測サーバ１は、位置情報が格子点から所定範囲内に位置しているか否かを判断し、所定範囲内に位置していれば各情報を格子点に配置する。一方、位置情報が格子点から所定範囲内に位置していなければ、受信した気象情報を無効とし、周囲の格子点の気象情報に基づいて、格子点気象情報を算出する。次いで、配置された気象情報と算出された格子点気象情報とに基づいて、気象予測情報を算出し、気象予測情報エリア１３ｅに記憶する。
【００６９】
従って、気象予測サーバ１は、気象情報が不足する地域の気象情報を取得できるので、気象予測をより正確に行うことができる。
【００７０】
そして、気象予測サーバ１とネットワーク５を介して接続された携帯電話機２から気象予測サーバ１に気象予測情報の提供要求信号及び位置情報を送信すると、気象予測サーバ１は受信した携帯電話機２の位置情報に基づいて、その携帯電話機２に気象予測情報を送信する。
【００７１】
従って、気象予測サーバ１は、携帯電話機２に、必要とする局地的な気象予測情報をいつでも提供できる。
【００７２】
また、携帯電話機２は気象予測サーバ１から必要とされる場合に気象予測情報を観測して送信すればよいので、常に気象情報を観測する必要がなくなり、ユーザの負担を低減できる。
【００７３】
なお、本発明は上記実施の形態に限定されるものではない。例えば、携帯電子機器は携帯電話機２に限らず、ＰＤＡ等を用いてもよい。また、格子網Ｍの間隔は任意であって、気象予測サーバ１の処理能力に合わせて自由に変更可能である。また、時間情報の取得は、気象予測サーバ１からに限らず、携帯電話機２からでもよい。また、気象予測情報の算出に用いる気象情報は気象庁の気象情報を用いてもよい。また、気象予測の開始時刻は任意であって、気象予測サーバ１の管理者が決定してもよいし、気象庁の気象予測に合わせてもよい。
更に、格子網の作成においては、格子網の間隔を順次変化させながら最適な間隔を求めるようにプログラミングされていてもよいし、所定の間隔に固定されていてもよい。また、ＲＯＭ１２内には複数のプログラムが格納されているが、各機能を一つのプログラムで処理するようにしてもよい。
その他、発明の要旨を逸脱しない範囲内で変更が可能である。
【００７４】
【発明の効果】
請求項１、５に記載の発明によれば、検索手段が、気象情報が不足する地域に配置された携帯電子機器を検索し、気象予測情報算出手段が、検索した携帯電子機器から気象情報と、当該気象情報を観測した位置情報とを受信し、受信した気象情報に基づいて、気象予測情報を算出する。そして、算出された気象予測情報を、気象予測情報記憶手段に記憶する。
よって、気象予測サーバは、気象情報が不足する地域の気象情報を取得できるので、気象予測をより正確に行うことができる。
【００７５】
請求項２、６に記載の発明によれば、格子網作成手段が等間隔の格子網を作成し、配置手段が気象情報の位置情報と格子網の格子が交差する位置とに基づいて、気象情報を格子が交差する位置に配置する。そして、検索手段が、気象情報が配置されない格子が交差する位置と配置情報記憶手段に記憶された携帯電子機器の配置位置情報に基づいて、格子が交差する位置の近傍に配置された携帯電子機器を検索する。そして、受信手段が検索された携帯電子機器から気象情報と位置情報とを受信し、気象予測情報算出手段が、気象情報が配置されない格子が交差する位置に受信した気象情報を配置して気象予測情報を算出する。算出された気象予測情報は、気象予測情報記憶手段に記憶される。
よって、気象予測サーバは、気象情報が不足する地域の気象情報を取得できるので、気象予測をより正確に行うことができる。
【００７６】
請求項３に記載の発明によれば、位置情報受信手段が提供要求信号及び位置情報を受信し、取得手段が受信した位置情報に基づいて、位置情報に対応する気象予測情報を気象予測情報記憶手段から取得する。そして、気象予測情報送信手段が、取得した気象予測情報を端末装置に送信する。
よって、気象予測サーバは、端末装置に、必要とする局地的な気象予測情報をいつでも提供できる。
【００７７】
請求項４に記載の発明によれば、要求信号受信手段が気象情報の送信要求信号を受信すると、気象観測手段が気象情報を観測し、位置情報計測手段が現在位置を計測する。そして、送信手段が気象情報と位置情報とを気象予測サーバに送信する。
よって、携帯電子機器は気象予測サーバから必要とされる場合に気象予測情報を観測して送信すればよいので、常に気象情報を観測する必要がなくなり、ユーザの負担を低減できる。
【図面の簡単な説明】
【図１】本発明の実施の形態における気象予測サーバ、携帯電話機の概要図である。
【図２】本発明の実施の形態における気象予測サーバのブロック図である。
【図３】本発明の実施の形態のＲＯＭ内の構成の説明図である。
【図４】本発明の実施の形態のＲＡＭ内の構成の説明図である。
【図５】本発明の実施の形態における携帯電話機のブロック図である。
【図６】本発明の実施の形態における気象予測情報の算出処理を説明するためのフローチャートである。
【図７】本発明の実施の形態における気象予測情報の提供処理を説明するためのフローチャートである。
【図８】本発明の実施の形態における気象情報の送信処理を説明するためのフローチャートである。
【図９】本発明の実施の形態における気象予測情報の提供要求処理を説明するためのフローチャートである。
【図１０】本発明の実施の形態における格子点に気象情報を配置する手順の説明図である。
【図１１】図１２における観測地Ｐ１〜Ｐ１１及び気象庁の気象情報を示す図である。
【図１２】本発明の実施の形態における各格子点に気象情報を示す図である。
【図１３】本発明の実施の形態における携帯電話機の配置位置情報を示す図である。
【符号の説明】
１        気象予測サーバ
２        携帯電話機（携帯電子機器、端末装置）
１０      ＣＰＵ（検索手段、気象予測情報算出手段、格子網作成手段、配置手段、取得手段）
１１      ＲＡＭ
１２      ＲＯＭ
１３      記憶部（記憶手段、配置情報記憶手段、気象予測情報記憶手段）
１６      通信制御部（受信手段、位置情報受信手段、気象予測情報送信手段）
２３      気象データ計測部（気象観測手段）
２６      位置計測部（位置情報計測手段）
２７      通信制御部（要求信号送信手段、送信手段）
【図１】
2004170203.tif 000003
【図２】
2004170203.tif 000004
【図３】
2004170203.tif 000005
【図４】
2004170203.tif 000006
【図５】
2004170203.tif 000007
【図６】
2004170203.tif 000008
【図７】
2004170203.tif 000009
【図８】
2004170203.tif 000010
【図９】
2004170203.tif 000011
【図１０】
2004170203.tif 000012
【図１１】
2004170203.tif 000013
【図１２】
2004170203.tif 000014
【図１３】
2004170203.tif 000015